(57)【特許請求の範囲】
【請求項１】
顧客に取引科目を選択させ、選択された取引科目に関する取引情報を入力させる記帳端末であって、
各種の表示画面を表示し、表示されているボタンの選択操作と、表示された入力画面における手書き入力を受け付ける操作表示部と、
前記取引科目毎の入力画面データを取得し、前記入力画面データに基づいて前記操作表示部に前記入力画面を表示させる表示制御部と、
顧客により入力される共通した取引情報が含まれる、第１の取引科目と第２の取引科目との入力制御を行い、前記第１の取引科目に含まれる前記取引情報を前記操作表示部から前記ボタンで入力させ、前記第２の取引科目に含まれる前記取引情報を前記操作表示部から手書き入力で入力させる入力制御部と、
前記第１の取引科目の帳票の前記取引情報を予め記憶された書体で印刷し、
前記第２の取引科目の帳票の前記取引情報を前記手書き入力のイメージで印刷するように、印刷部に印刷させる印刷制御部と
を有する記帳端末。
【請求項２】
前記第２の取引科目は、口座開設取引であり、
前記口座開設取引で印刷される帳票は、複写式であり、かつ、少なくとも口座開設申込書と印鑑票とを含み、
前記入力制御部は、前記印鑑票に印刷される取引情報を前記手書き入力で入力させ、
前記印刷制御部は、前記顧客により入力された前記印鑑票に印刷される取引情報を、前記口座開設申込書において前記手書き入力のイメージで前記印刷部に印刷させる、請求項１に記載の記帳端末。
【請求項３】
前記入力制御部は、前記顧客により選択された取引科目の種類、および、入力対象の取引情報の種類に対応付けてデータベースに登録されている入力方法で前記取引情報を入力させる、請求項２に記載の記帳端末。
【請求項４】
前記手書き入力のイメージは、前記顧客による手書き入力時の筆跡データであり、
前記記帳端末は、前記顧客による取引情報の手書き入力時の筆跡データを、入力対象の取引情報の種類と対応付けて記憶する記憶部をさらに備え、
前記印刷制御部は、前記入力制御部により入力方法が手書き入力に決定された複数の取引情報の各々に関して、当該取引情報に対応付けて前記記憶部に記憶されている筆跡データを前記印刷部に印刷させる、請求項２または３に記載の記帳端末。
【請求項５】
前記表示制御部は、入力対象の取引情報ごとに、前記入力制御部により決定された当該取引情報の入力方法と当該取引情報の種類とに応じたレイアウトの入力画面を表示部に表示させる、請求項２〜４のいずれか一項に記載の記帳端末。
【請求項６】
コンピュータを、
顧客に取引科目を選択させ、選択された取引科目に関する取引情報を入力させる記帳端末であって、
各種の表示画面を表示し、表示されているボタンの選択操作と、表示された入力画面における手書き入力を受け付ける操作表示部と、
前記取引科目毎の入力画面データを取得し、前記入力画面データに基づいて前記操作表示部に前記入力画面を表示させる表示制御部と、
顧客により入力される共通した取引情報が含まれる、第１の取引科目と第２の取引科目との入力制御を行い、前記第１の取引科目に含まれる前記取引情報を前記操作表示部から前記ボタンで入力させ、前記第２の取引科目に含まれる前記取引情報を前記操作表示部から手書き入力で入力させる入力制御部と、
前記第１の取引科目の帳票の前記取引情報を予め記憶された書体で印刷し、
前記第２の取引科目の帳票の前記取引情報を前記手書き入力のイメージで印刷するように、印刷部に印刷させる印刷制御部と
を有する記帳端末として機能させるためのプログラム。
【発明の詳細な説明】
【技術分野】
【０００１】
本発明は、記帳端末、及びプログラムに関する。
【背景技術】
【０００２】
従来、金融機関では、取引科目ごとに作成された例えば伝票などの帳票を用いて各種手続きが行われている。
【０００３】
また、帳票に含まれる入力項目に対して情報を入力するための技術が各種提案されている。例えば、特許文献１および特許文献２では、帳票に含まれる入力項目ごとの入力方法を、顧客の選択によって手書き入力とキー入力との間で切り替え可能にする技術が記載されている。
【先行技術文献】
【特許文献】
【０００４】
【特許文献１】特開２０１３−１４５４３９号公報
【特許文献２】特開２０１５−６０４７１号公報
【発明の概要】
【発明が解決しようとする課題】
【０００５】
ところで、入力情報を帳票に印刷する場面では、入力情報の入力方法によって異なる印刷形式で印刷することが望まれる場合がある。
【０００６】
しかしながら、特許文献１および特許文献２に記載の技術では、手書き入力とキー入力とのいずれで入力された場合であっても、入力情報を同じ印刷形式で印刷する。例えば、特許文献１および特許文献２に記載の技術では、文字が手書き入力された場合であっても、キー入力された場合と同じフォントで、入力された文字を印刷してしまう。
【０００７】
そこで、本発明は、上記問題に鑑みてなされたものであり、本発明の目的とするところは、入力情報の入力方法に適応的な印刷形式で入力情報を帳票に印刷させることが可能な、新規かつ改良された記帳端末、及びプログラムを提供することにある。
【課題を解決するための手段】
【０００８】
上記課題を解決するために、本発明のある観点によれば、顧客に取引科目を選択させ、選択された取引科目に関する取引情報を入力させる記帳端末であって、各種の表示画面を表示し、表示されているボタンの選択操作と、表示された入力画面における手書き入力を受け付ける操作表示部と、前記取引科目毎の入力画面データを取得し、前記入力画面データに基づいて前記操作表示部に前記入力画面を表示させる表示制御部と、顧客により入力される共通した取引情報が含まれる、第１の取引科目と第２の取引科目との入力制御を行い、前記第１の取引科目に含まれる前記取引情報を前記操作表示部から前記ボタンで入力させ、前記第２の取引科目に含まれる前記取引情報を前記操作表示部から手書き入力で入力させる入力制御部と、前記第１の取引科目の帳票の前記取引情報を予め記憶された書体で印刷し、前記第２の取引科目の帳票の前記取引情報を前記手書き入力のイメージで印刷するように、印刷部に印刷させる印刷制御部とを有する記帳端末が提供される。
【０００９】
前記第２の取引科目は、口座開設取引であり、前記口座開設取引で印刷される帳票は、複写式であり、かつ、少なくとも口座開設申込書と印鑑票とを含み、前記入力制御部は、ｆ前記印鑑票に印刷される取引情報を前記手書き入力で入力させ、前記印刷制御部は、前記顧客により入力された前記印鑑票に印刷される取引情報を、前記口座開設申込書において前記手書きのイメージで前記印刷部に印刷させてもよい。
【００１０】
前記入力制御部は、前記顧客により選択された取引科目の種類、および、入力対象の取引情報の種類に対応付けてデータベースに登録されている入力方法で前記取引情報を入力させてもよい。
【００１１】
前記手書き入力のイメージは、前記顧客による手書き入力時の筆跡データであり、前記記帳端末は、前記顧客による取引情報の手書き入力時の筆跡データを、入力対象の取引情報の種類と対応付けて記憶する記憶部をさらに備え、前記印刷制御部は、前記入力制御部により入力方法が手書き入力に決定された複数の取引情報の各々に関して、当該取引情報に対応付けて前記記憶部に記憶されている筆跡データを前記印刷部に印刷させてもよい。
【００１２】
前記表示制御部は、入力対象の取引情報ごとに、前記入力制御部により決定された当該取引情報の入力方法と当該取引情報の種類とに応じたレイアウトの入力画面を表示部に表示させてもよい。
【００１３】
また、上記課題を解決するために、本発明の別の観点によれば、コンピュータを、顧客に取引科目を選択させ、選択された取引科目に関する取引情報を入力させる記帳端末であって、各種の表示画面を表示し、表示されているボタンの選択操作と、表示された入力画面における手書き入力を受け付ける操作表示部と、前記取引科目毎の入力画面データを取得し、前記入力画面データに基づいて前記操作表示部に前記入力画面を表示させる表示制御部と、顧客により入力される共通した取引情報が含まれる、第１の取引科目と第２の取引科目との入力制御を行い、前記第１の取引科目に含まれる前記取引情報を前記操作表示部から前記ボタンで入力させ、前記第２の取引科目に含まれる前記取引情報を前記操作表示部から手書き入力で入力させる入力制御部と、前記第１の取引科目の帳票の前記取引情報を予め記憶された書体で印刷し、前記第２の取引科目の帳票の前記取引情報を前記手書き入力のイメージで印刷するように、印刷部に印刷させる印刷制御部とを有する記帳端末として機能させるためのプログラムが提供される。
【発明の効果】
【００１４】
以上説明したように本発明によれば、入力情報の入力方法に適応的な印刷形式で入力情報を帳票に印刷させることができる。
【図面の簡単な説明】
【００１５】
【図１】本実施形態による電子記帳台２の外観を示した説明図である。
【図２】同実施形態によるメニュー画面の表示例を示した説明図である。
【図３】同実施形態による振込伝票のレイアウト例を示した説明図である。
【図４】同実施形態による口座開設申込書のレイアウト例を示した説明図である。
【図５】同実施形態による印鑑票のレイアウト例を示した説明図である。
【図６】同実施形態によるタブレット端末１０の構成例を示した機能ブロック図である。
【図７】同実施形態による入力画面ＤＢ１２６の構成例を示した説明図である。
【図８】同実施形態による入力画面ＤＢ１２６の構成例を示した説明図である。
【図９】同実施形態による振込伝票に含まれる入力項目の入力画面の表示例を示した説明図である。
【図１０】同実施形態による振込伝票に含まれる入力項目の入力画面の表示例を示した説明図である。
【図１１】同実施形態による口座開設申込書に含まれる入力項目の入力画面の表示例を示した説明図である。
【図１２】同実施形態による口座開設申込書の印刷例を示した説明図である。
【図１３】同実施形態による動作の一部を示したフローチャートである。
【図１４】同実施形態による動作の一部を示したフローチャートである。
【図１５】同実施形態によるタブレット端末１０のハードウェア構成を示した説明図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてタブレット端末１０ａおよびタブレット端末１０ｂのように区別する。ただし、実質的に同一の機能構成を有する複数の構成要素の各々を特に区別する必要がない場合、同一符号のみを付する。例えば、タブレット端末１０ａおよびタブレット端末１０ｂを特に区別する必要が無い場合には、単にタブレット端末１０と称する。
【００１８】
また、以下に示す項目順序に従って当該「発明を実施するための形態」を説明する。
１．電子記帳台の構成
２．実施形態の詳細な説明
３．ハードウェア構成
４．変形例
【００１９】
＜＜１．電子記帳台の構成＞＞
＜１−１．電子記帳台２＞
本発明は、一例として「２．実施形態の詳細な説明」において詳細に説明するように、多様な形態で実施され得る。最初に、本実施形態による電子記帳台２の構成について、図１を参照して説明する。
【００２０】
電子記帳台２は、例えば伝票などの帳票に含まれる入力項目に対する情報を顧客が入力し、そして、入力した情報を帳票に印刷するための台である。この電子記帳台２は、例えば、金融機関の営業店内に複数台設置される。例えば、営業店に来店した顧客は、電子記帳台２において、所望の取引科目を選択し、選択した取引科目における入力項目に対して入力を行い、そして、各入力項目に対する入力情報を帳票上に印刷することができる。
【００２１】
図１に示したように、電子記帳台２には、例えば、タブレット端末１０、およびプリンタ２０が設置されている。
【００２２】
［１−１−１．タブレット端末１０］
タブレット端末１０は、タッチパネルを備えたディスプレイを有する携帯型のコンピュータである。このタブレット端末１０は、例えば、顧客が取引科目を選択するためのメニュー画面や、選択された取引科目における入力項目に対して情報を入力するための入力画面などを表示する。また、タブレット端末１０は、例えば無線通信により、プリンタ２０との間で情報の送受信を行うことが可能である。
【００２３】
図２は、タブレット端末１０に表示されるメニュー画面の表示例（メニュー画面３０）を示した説明図である。図２に示したように、メニュー画面３０は、例えば、振込取引選択ボタン３００ｃや口座開設取引選択ボタン３００ｄなどの、複数の取引科目選択ボタン３００を含む。例えば、顧客が振込取引を希望する場合には、メニュー画面３０において振込取引選択ボタン３００ｃを選択する。そして、タブレット端末１０は、振込取引における各入力項目に対して顧客が情報を入力するための入力画面を表示する。
【００２４】
［１−１−２．プリンタ２０］
プリンタ２０は、本発明における印刷部の一例である。プリンタ２０は、例えばインクなどを用いて、文字や画像を紙媒体に対して印刷する装置である。例えば、プリンタ２０は、タブレット端末１０から画像データを受信した場合に、受信した画像データを紙媒体に印刷する。このプリンタ２０は、例えば、ドットインパクトプリンタである。
【００２５】
＜１−２．課題の整理＞
［１−２−１．課題１］
以上、本実施形態による電子記帳台２の構成について説明した。ところで、帳票に含まれる各入力項目の入力方法はそれぞれ、金融機関ごとの事務規定によって特定の入力方法に定められている場合が多い。例えば、同じ取引科目における同じ種類の入力項目に関して、金融機関によって異なる入力方法が定められている場合がある。図３は、振込伝票のレイアウト例（振込伝票４０）を示した説明図である。図３に示した振込伝票４０において、例えば振込受取人のカナ氏名４０２ａの入力方法として、金融機関によって「キー入力」が定められている場合もあるし、あるいは、「手書き入力」が定めている場合もある。
【００２６】
また、多くの金融機関では、同じ種類の入力項目の入力方法が取引科目によって異なるように定められている場合もある。図４は、口座開設申込書のレイアウト例（口座開設申込書４２）を示した説明図である。例えば、図４に示した口座開設申込書４２における依頼人のカナ氏名４２２ａの入力方法が「手書き入力」に定められており、また、図３に示した振込伝票４０における同じ種類の入力項目（例えば、振込受取人のカナ氏名４０２ａ）の入力方法が「キー入力」に定められている場合がある。
【００２７】
従って、タブレット端末１０に表示される入力画面では、取引科目および入力項目ごとに、金融機関によって予め定められている入力方法で顧客に情報を入力させる必要がある。
【００２８】
［１−２−２．課題２］
また、別の課題として以下が挙げられる。金融機関によっては、口座開設取引において、少なくとも口座開設申込書と印鑑票とを含む複写式の帳票が使用される場合がある。このような複写式の帳票では、通常、印鑑票の上に口座開設申込書が重ねられている。このため、口座開設申込書に対する記入内容が印刷票に複写されることになる。
【００２９】
また、多くの金融機関では、印鑑票に含まれる入力項目の入力方法を手書き入力に定めている場合が多い。従って、上述した複写式の帳票が使用される場合には、口座開設申込書および印鑑票の両方に含まれる入力項目に関しては入力方法が手書き入力に設定される必要がある。
【００３０】
そこで、上記事情を一着眼点にして、本実施形態によるタブレット端末１０を創作するに至った。タブレット端末１０は、取引科目および入力項目ごとに、金融機関の事務規定によって予め定められている入力方法通りに顧客に情報を入力させることが可能である。また、顧客により口座開設取引が選択された場合には、タブレット端末１０は、口座開設取引における複数の入力項目のうち印鑑票に含まれる入力項目に関して手書き入力で顧客に情報を入力させることが可能である。
【００３１】
＜＜２．実施形態の詳細な説明＞＞
＜２−１．構成＞
次に、本実施形態による構成について詳細に説明する。図６は、本実施形態によるタブレット端末１０の構成を示した機能ブロック図である。図６に示したように、タブレット端末１０は、制御部１００、通信部１２０、操作表示部１２２、および、記憶部１２４を有する。
【００３２】
［２−１−１．制御部１００］
制御部１００は、タブレット端末１０に内蔵される、後述するＣＰＵ（Ｃｅｎｔｒａｌ  Ｐｒｏｃｅｓｓｉｎｇ  Ｕｎｉｔ）１５０、ＲＡＭ（Ｒａｎｄｏｍ  Ａｃｃｅｓｓ  Ｍｅｍｏｒｙ）１５４などのハードウェアを用いて、タブレット端末１０の動作を全般的に制御する。また、図６に示したように、制御部１００は、取引科目取得部１０２、入力制御部１０４、表示制御部１０６、および、印刷制御部１０８を有する。
【００３３】
［２−１−２．取引科目取得部１０２］
取引科目取得部１０２は、後述する操作表示部１２２に対する顧客の入力に基づいて、顧客により選択された取引科目を取得する。例えば、取引科目取得部１０２は、図２に示したようなメニュー画面において顧客により選択された取引科目を取得する。
【００３４】
［２−１−３．入力制御部１０４］
入力制御部１０４は、取引科目取得部１０２により取得された取引科目、および、入力対象の入力項目に基づいて、当該入力項目の入力方法をキー入力と手書き入力とのいずれかに決定する。例えば、入力制御部１０４は、まず、取得された取引科目、および、入力対象の入力項目に対応付けて、後述する入力画面ＤＢ１２６に登録されている入力方法を入力画面ＤＢ１２６から取得し、そして、取得された入力方法を当該入力項目の入力方法として決定する。
【００３５】
また、取引科目取得部１０２により取得された取引科目と別の取引科目とが同一の入力項目を共通して含む場合には、入力制御部１０４は、当該入力項目の入力方法を、別の取引科目における当該入力項目の入力方法と異ならせることが可能である。例えば、二種類の取引科目が同一の入力項目を含む場合には取引科目ごとに当該入力項目の入力方法が異なるように入力画面ＤＢ１２６が登録されており、そして、入力制御部１０４は、取引科目取得部１０２により取得された取引科目、および、入力対象の入力項目に基づいて入力画面ＤＢ１２６を参照することにより、該当の入力項目の入力方法を決定する。
【００３６】
さらに、取引科目取得部１０２により取得された取引科目が口座開設取引である場合には、入力制御部１０４は、口座開設取引における複数の入力項目のうち印鑑票に含まれる入力項目の入力方法を手書き入力に決定することが可能である。例えば、口座開設取引における複数の入力項目のうち印鑑票に含まれる全ての文字入力項目に関しては入力方法が手書き入力として入力画面ＤＢ１２６に予め登録されており、そして、入力制御部１０４は、取引科目取得部１０２により取得された取引科目、および、入力対象の入力項目に基づいて入力画面ＤＢ１２６を参照することにより、該当の入力項目の入力方法を決定する。
【００３７】
一例として、図５に示した印鑑票４４の例では、印鑑票４４に記載される文字入力項目（選択入力項目である生年月日（元号）を除く）は、郵便番号、カナ住所、漢字住所、自宅電話番号、携帯電話電話番号、カナ氏名、漢字氏名、および、生年月日（年月日）である。そこで、図８に示した入力画面ＤＢ１２６の例のように、口座開設取引における複数の入力項目のうち、これらの入力項目に関しては入力方法が手書き入力として入力画面ＤＢ１２６に予め登録され得る。また、図５と重ねられる帳票である（例えば図４に示した）口座開設申込書において、印鑑票４４にも印刷される項目以外の項目である文字入力項目は、キー入力が設定される。例えば、図４に示した例では、当該文字入力項目は、性別、および入金額である。
【００３８】
（２−１−３−１．入力画面ＤＢ１２６）
図７および図８は、入力画面ＤＢ１２６の構成例を示した説明図である。入力画面ＤＢ１２６は、取引科目および入力項目に対応付けて入力方法が登録されているデータベースである。例えば、図７に示したように、入力画面ＤＢ１２６では、取引科目１２６０、区分１２６２、入力項目１２６４、および、入力方法１２６６が対応づけられている。なお、図７は、振込取引における各入力項目の入力方法の登録例を示しており、また、図８は、口座開設取引における各入力項目の入力方法の登録例を示している。
【００３９】
なお、入力画面ＤＢ１２６では、例えば、タブレット端末１０が設置される金融機関の事務規定に沿って、取引科目ごとの各入力項目の入力方法が登録され得る。
【００４０】
［２−１−４．表示制御部１０６］
表示制御部１０６は、取引科目取得部１０２により取得された取引科目における入力項目に対して情報を入力するための入力画面を操作表示部１２２に表示させる。例えば、表示制御部１０６は、取得された取引科目における複数の入力項目の各々について、入力制御部１０４により決定された入力方法と当該入力項目の種類とに応じたレイアウトの入力画面を操作表示部１２２に表示させる。
【００４１】
例えば、図７に示した入力画面ＤＢ１２６ａの例では、振込取引における「振込先のカナ氏名」の入力方法としてキー入力が登録されている。そこで、表示制御部１０６は、「振込先のカナ氏名」の入力画面として、例えば図９に示したような、複数のカナボタン３２０が配置された入力画面３２を操作表示部１２２に表示させる。
【００４２】
なお、この入力画面３２において「振込先のカナ氏名」の情報が顧客により入力され、そして、「確認ボタン」が選択されると、表示制御部１０６は、振込取引における次の入力項目（例えば「振込先の漢字氏名」）の入力画面を操作表示部１２２に表示させる。
【００４３】
また、図７に示した入力画面ＤＢ１２６ａの例では、振込取引における「振込先の漢字氏名」の入力方法として手書き入力が登録されている。そこで、表示制御部１０６は、「振込先の漢字氏名」の入力画面として、例えば図１０に示したような、手書き記入欄３４０が配置された入力画面３４を操作表示部１２２に表示させる。なお、手書き記入欄３４０において顧客により例えばスタイラスなどを用いて手書き入力がされると、制御部１００は、手書き記入欄３４０において入力された筆跡データを例えば当該入力項目と対応付けて記憶部１２４に格納する。なお、筆跡データは、例えば画像データである。
【００４４】
なお、上述したように、入力項目の種類が同じであっても、取引科目によって入力方法が異なるように入力画面ＤＢ１２６が登録され得る。例えば、図８に示した入力画面ＤＢ１２６ｂの例では、口座開設取引における「（依頼人の）カナ氏名」の入力方法は、「振込先のカナ氏名」とは異なり、手書き入力が登録されている。この場合、表示制御部１０６は、口座開設取引における「（依頼人の）カナ氏名」の入力画面として、例えば、図１１に示したような、カナ氏名記入欄３６０が配置された入力画面３６を操作表示部１２２に表示させる。
【００４５】
［２−１−５．印刷制御部１０８］
印刷制御部１０８は、取引科目取得部１０２により取得された取引科目における全ての入力項目に対する入力が完了した場合に、当該取引科目の帳票の各入力項目の記入欄において各入力項目の入力情報を印刷させるように印刷制御情報を生成する。例えば、入力方法がキー入力に決定された各入力項目に関しては、印刷制御部１０８は、当該入力項目に対応付けて記憶部１２４に格納されている入力情報を、該当の帳票の当該入力項目の記入欄において、予め記憶された書体で印刷させるように印刷制御情報を生成する。また、入力方法が手書き入力に決定された各入力項目に関しては、印刷制御部１０８は、当該入力項目に対応付けて記憶部１２４に格納されている筆跡データを、該当の帳票の当該入力項目の記入欄に印刷させるように印刷制御情報を生成する。
【００４６】
また、取引科目取得部１０２により取得された取引科目が口座開設取引である場合には、例えば図１２に示したように、印刷制御部１０８は、図５に示した印鑑票４４と、図４に示した口座開設申込書４２とを各入力項目の記入欄の位置が一致するように重ねた状態で各入力項目の入力情報を印刷させるように印刷制御情報を生成することが可能である。
【００４７】
また、印刷制御部１０８は、生成した印刷制御情報をプリンタ２０へ通信部１２０に送信させる。
【００４８】
［２−１−６．通信部１２０］
通信部１２０は、例えば無線通信により、他の装置との間で情報の送受信を行う。例えば、通信部１２０は、印刷制御部１０８の制御により、印刷制御情報をプリンタ２０へ送信する。
【００４９】
［２−１−７．操作表示部１２２］
操作表示部１２２は、例えばタッチパネルにより構成される。この操作表示部１２２は、表示制御部１０６の制御に従って、各種の表示画面を表示する。また、操作表示部１２２は、表示画面に対する顧客による入力操作を受け付ける。例えば、操作表示部１２２は、表示されているボタンの選択操作や、表示された入力画面における手書き入力などを受け付ける。
【００５０】
［２−１−８．記憶部１２４］
記憶部１２４は、例えば入力画面ＤＢ１２６などの各種のデータを記憶する。
【００５１】
なお、タブレット端末１０の構成は、上述した構成に限定されない。例えば、入力画面ＤＢ１２６は、記憶部１２４に記憶される代わりに、タブレット端末１０と通信可能な他の装置（図示省略）に記憶されることも可能である。
【００５２】
＜２−２．動作＞
以上、本実施形態による構成について説明した。続いて、本実施形態による動作について、図１３および図１４を参照して説明する。なお、以下では、顧客がタブレット端末１０を用いて、所望の取引科目における入力項目に対して情報を入力し、そして、入力した情報を印刷させる場面の動作例について説明する。
【００５３】
図１３に示したように、タブレット端末１０の操作表示部１２２は、表示制御部１０６の制御に従って、初期状態としてメニュー画面を表示する（Ｓ１０１）。
【００５４】
その後、電子記帳台２の前に到着した顧客は、タブレット端末１０に表示されているメニュー画面において所望の取引科目を選択する。そして、タブレット端末１０の取引科目取得部１０２は、選択された取引科目を取得する（Ｓ１０３）。
【００５５】
続いて、入力制御部１０４は、入力対象の入力項目の順番を示す変数Ｉに「１」を設定する（Ｓ１０５）。そして、入力制御部１０４は、Ｓ１０３で取得された取引科目における入力項目の総数をＮに設定する（Ｓ１０７）。
【００５６】
ここで、図１４を参照して、Ｓ１０７より後の動作について説明する。図１４に示したように、Ｓ１０７の後、入力制御部１０４は、Ｉの値がＮ以下であるか否かを判定する（Ｓ１１１）。ＩがＮ以下である場合には（Ｓ１１１：Ｙｅｓ）、入力制御部１０４は、Ｓ１０３で取得された取引科目におけるＩ番目の入力項目に対応付けて登録されている入力方法を入力画面ＤＢ１２６から抽出する。そして、入力制御部１０４は、抽出した入力方法をＩ番目の入力項目の入力方法として決定する（Ｓ１１３）。
【００５７】
続いて、表示制御部１０６は、Ｓ１１３で決定された入力方法とＩ番目の入力項目とに応じたレイアウトの入力画面を操作表示部１２２に表示させる（Ｓ１１５）。
【００５８】
その後、顧客は、Ｓ１１５で表示された入力画面においてＩ番目の入力項目に対して、Ｓ１１３で決定された入力方法により情報を入力する。そして、制御部１００は、Ｉ番と、入力された情報とを対応付けて記憶部１２４に格納する（Ｓ１１７）。
【００５９】
続いて、制御部１００は、Ｉに「１」を加算する（Ｓ１１９）。そして、制御部１００は、再びＳ１１１の動作を行う。
【００６０】
Ｓ１１１においてＩがＮよりも大きい場合には（Ｓ１１１：Ｎｏ）、印刷制御部１０８は、Ｓ１０３で取得された取引科目の帳票の各入力項目の記入欄において、各入力項目と対応付けてＳ１１７で記憶された入力情報を印刷させるための印刷制御情報を生成する（Ｓ１２１）。そして、通信部１２０は、印刷制御部１０８の制御に従って、Ｓ１２１で生成された印刷制御情報をプリンタ２０へ送信する（Ｓ１２３）。
【００６１】
その後、プリンタ２０は、Ｓ１２３で受信された印刷制御情報に従って、該当の取引科目の帳票上に印刷を行う（Ｓ１２５）。
【００６２】
＜２−３．効果＞
［２−３−１．効果１］
以上、例えば図４、図１３、および図１４などを参照して説明したように、本実施形態によるタブレット端末１０は、顧客により選択された取引科目における各入力項目に関して、入力方法がキー入力に決定された入力項目に対する入力情報を、予め記憶された書体で当該取引科目の帳票上にプリンタ２０に印刷させ、そして、入力方法が手書き入力に決定された入力項目に対する入力情報を手書き入力イメージで当該取引科目の帳票上にプリンタ２０に印刷させる。このため、各入力項目の入力方法に適応した印刷形式で、各入力項目に対する入力情報を該当の帳票に印刷させることができる。
【００６３】
［２−３−２．効果２］
また、本実施形態によるタブレット端末１０は、顧客により選択された取引科目、および、入力対象の入力項目に対応付けて入力画面ＤＢ１２６に登録されている入力方法を当該入力項目の入力方法として決定することが可能である。このため、取引科目および入力項目ごとに、例えば金融機関の事務規定によって予め定められている入力方法通りに顧客に情報を入力させることが可能である。従って、金融機関の事務規定とは異なる入力方法で顧客が取引情報を入力してしまうことを防止することができる。
【００６４】
［２−３−３．効果３］
また、本実施形態では、口座開設取引では、印鑑票の上に口座開設申込書が重ねられた複写式の帳票が使用される。そして、タブレット端末１０は、顧客により選択された取引科目が口座開設取引である場合には、複数の入力項目のうち印鑑票に含まれる入力項目の入力方法を手書き入力に決定し、そして、各入力項目に対して入力された筆跡データを口座開設申込書の各入力項目の記入欄にプリンタ２０に印刷させる。従って、プリンタ２０による印刷の力によって、各入力項目に対して入力された筆跡データが印鑑票の各入力項目の記入欄に複写されることになる。
【００６５】
＜＜３．ハードウェア構成＞＞
次に、本実施形態によるタブレット端末１０のハードウェア構成について、図１５を参照して説明する。図１５に示したように、タブレット端末１０は、ＣＰＵ１５０、ＲＯＭ（Ｒｅａｄ  Ｏｎｌｙ  Ｍｅｍｏｒｙ）１５２、ＲＡＭ１５４、内部バス１５６、入出力インターフェース１５８、入力装置１６０、表示装置１６２、ＨＤＤ（Ｈａｒｄ  Ｄｉｓｋ  Ｄｒｉｖｅ）１６４、およびネットワークインターフェース１６６を備える。
【００６６】
ＣＰＵ１５０は、演算処理装置および制御装置として機能し、各種プログラムに従ってタブレット端末１０内の動作全般を制御する。また、ＣＰＵ１５０は、制御部１００の機能を実現する。なお、ＣＰＵ１５０は、マイクロプロセッサなどのプロセッサにより構成される。
【００６７】
ＲＯＭ１５２は、ＣＰＵ１５０が使用するプログラムや演算パラメータなどを記憶する。
【００６８】
ＲＡＭ１５４は、ＣＰＵ１５０の実行において使用するプログラムや、その実行において適宜変化するパラメータなどを一時記憶する。
【００６９】
内部バス１５６は、ＣＰＵバスなどから構成される。この内部バス１５６は、ＣＰＵ１５０、ＲＯＭ１５２、およびＲＡＭ１５４を相互に接続する。
【００７０】
入出力インターフェース１５８は、入力装置１６０、表示装置１６２、ＨＤＤ１６４、およびネットワークインターフェース１６６を、内部バス１５６と接続する。例えばＨＤＤ１６４は、この入出力インターフェース１５８および内部バス１５６を介して、ＲＡＭ１５４などとの間でデータをやり取りする。
【００７１】
入力装置１６０は、例えばボタン、マイクロフォン、およびスイッチなどユーザが情報を入力するための入力手段と、ユーザによる入力に基づいて入力信号を生成し、ＣＰＵ１５０に出力する入力制御回路などから構成されている。この入力装置１６０は、操作表示部１２２として機能する。
【００７２】
表示装置１６２は、例えば、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置、およびランプなどを含む。この表示装置１６２は、操作表示部１２２として機能する。
【００７３】
ＨＤＤ１６４は、記憶部１２４として機能するデータ格納用の装置である。このＨＤＤ１６４は、例えば、記憶媒体、記憶媒体にデータを記録する記録装置、記憶媒体からデータを読み出す読出し装置、および記憶媒体に記録されたデータを削除する削除装置などを含む。また、ＨＤＤ１６４は、ＣＰＵ１５０が実行するプログラムや各種データを格納する。
【００７４】
ネットワークインターフェース１６６は、例えばインターネットなどの通信網に接続するための通信デバイスなどで構成された通信インターフェースである。このネットワークインターフェース１６６は、通信部１２０として機能する。なお、ネットワークインターフェース１６６は、無線ＬＡＮ対応通信装置、ＬＴＥ（Ｌｏｎｇ  Ｔｅｒｍ  Ｅｖｏｌｕｔｉｏｎ）対応通信装置、または有線による通信を行うワイヤー通信装置であってもよい。
【００７５】
＜＜４．変形例＞＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７６】
例えば、上述した実施形態では、タブレット端末１０とプリンタ２０とがそれぞれ独立した装置である例について説明したが、かかる例に限定されない。タブレット端末１０とプリンタ２０とは一体の装置として構成されてもよい。
【００７７】
また、上述した各実施形態の動作における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。
【００７８】
また、本実施形態によれば、ＣＰＵ１５０、ＲＯＭ１５２、およびＲＡＭ１５４などのハードウェアを、本実施形態によるタブレット端末１０の各構成と同等の機能を発揮させるためのコンピュータプログラムも提供可能である。また、該コンピュータプログラムが記録された記録媒体も提供される。
【符号の説明】
【００７９】
２  電子記帳台
１０  タブレット端末
２０  プリンタ
１００  制御部
１０２  取引科目取得部
１０４  入力制御部
１０６  表示制御部
１０８  印刷制御部
１２０  通信部
１２２  操作表示部
１２４  記憶部
１２６  入力画面ＤＢ
【図１】
0006634740.tif 000002
【図２】
0006634740.tif 000003
【図３】
0006634740.tif 000004
【図４】
0006634740.tif 000005
【図５】
0006634740.tif 000006
【図６】
0006634740.tif 000007
【図７】
0006634740.tif 000008
【図８】
0006634740.tif 000009
【図９】
0006634740.tif 000010
【図１０】
0006634740.tif 000011
【図１１】
0006634740.tif 000012
【図１２】
0006634740.tif 000013
【図１３】
0006634740.tif 000014
【図１４】
0006634740.tif 000015
【図１５】
0006634740.tif 000016